(57)【要約】【課題】  液晶表示パネルの端子部に対する制御用フレキシブル基板の接続と、制御用フレキシブル基板に含まれている電源ラインに対するライト給電用フレキシブル基板の接続とを限られたスペース内で同時に行えるようにする。【解決手段】  液晶表示パネル１０の端子部１２ａに接続される制御用フレキシブル基板２０内の電源ライン２２にバックライト側のライト給電用フレキシブル基板３２を接続するにあたって、端子部１２ａに制御用フレキシブル基板２０内の信号ライン２１と接続される第１接続電極部１４ａのほかに、電源ライン２２と接続される第２接続電極部１４ｂと、ライト給電用フレキシブル基板３２と接続される第３接続電極部１４ｃとを形成するとともに、第２接続電極部１４ｂと第３接続電極部１４ｃとをジャンパ配線１５にて導通させ、電源ライン２２とライト給電用フレキシブル基板３２とを端子部１２ａ上で接続する。【選択図】  図２
2006184352.tif 000002
【特許請求の範囲】
【請求項１】
液晶表示パネルと、上記液晶表示パネルの反観察面に配置されるバックライトと、上記バックライトの光源に給電するためのライト給電用フレキシブル基板と、液晶表示パネル駆動用の信号ラインおよびバックライト点灯用の電源ラインを有する制御用フレキシブル基板とを含み、上記液晶表示パネルの端子部に上記制御用フレキシブル基板が接続されるとともに、上記電源ラインから上記ライト給電用フレキシブル基板を介して上記光源に点灯電源が供給される液晶表示装置において、
上記端子部には、上記信号ラインと接続される第１接続電極と、上記電源ラインと接続される第２接続電極と、上記ライト給電用フレキシブル基板と接続される第３接続電極とが形成されているとともに、上記第２接続電極と上記第３接続電極とがジャンパ配線により接続されていて、上記制御用フレキシブル基板と上記ライト給電用フレキシブル基板とがともに上記端子部に接続され、上記電源ラインと上記ライト給電用フレキシブル基板とが上記ジャンパ配線を介して電気的に接続されることを特徴とする液晶表示装置。
【発明の詳細な説明】
【技術分野】
【０００１】
本発明は、液晶表示パネルの反観察面にバックライトを有する液晶表示装置に関し、さらに詳しく言えば、パネル制御用のフレキシブル基板により液晶表示パネルに対しては駆動信号を供給し、バックライトに対しては点灯電源を供給するようにした液晶表示装置に関するものである。
【背景技術】
【０００２】
透過型もしくは半透過型の液晶表示装置では、液晶表示パネルの反観察面（裏面側）にバックライトが配置される。液晶表示パネルは主としてデジタル系で制御され、バックライトが備えるＬＥＤや冷陰極管などの光源には点灯用のアナログ電源が供給される。
【０００３】
そのため、特許文献１に記載の液晶表示装置では、液晶表示パネルとバックライトとから別々にフレキシブル基板を引き出して制御手段に接続するようにしているが、これによると、コネクタやソケットなどの接続機器やその配置スペースなどが２系統分必要となるため、常に小型化・薄型化が要請されている携帯電話機などに対しては適応できない。
【０００４】
そこで、特許文献２の発明においては、液晶表示パネルの端子部に接続される制御用フレキシブル基板にパネル駆動用の信号ラインとバックライト点灯用の電源ラインとを併存させ、その途中にバックライト側のライト給電用フレキシブル基板を接続するようにしている。
【０００５】
【特許文献１】特開２００１−２０９０２３号公報
【特許文献２】特開２００３−３２２８７１号公報
【発明の開示】
【発明が解決しようとする課題】
【０００６】
上記特許文献２に記載の発明によれば、特許文献１の発明に比べてフレキシブル基板の配線の簡素化が図られるが、接続工程として、液晶表示パネルの端子部に制御用フレキシブル基板を接続する工程と、その制御用フレキシブル基板にライト給電用フレキシブル基板を接続する工程の２工程が必要であるため、生産性の観点から改善の余地が残されている。
【０００７】
また、制御用フレキシブル基板にライト給電用フレキシブル基板を接続するための分岐配線およびそのスペースを確保しなければならないため、より一層の小型化・薄型化を図るうえで好ましくない。ちなみに、携帯電話機などの携帯機器では厚さや幅が０．１ｍｍ単位で問題となる。
【０００８】
したがって、本発明の課題は、液晶表示パネルの端子部に対する制御用フレキシブル基板の接続と、制御用フレキシブル基板に含まれている電源ラインに対するライト給電用フレキシブル基板の接続とを限られたスペース内で同時に行えるようにすることにある。
【課題を解決するための手段】
【０００９】
上記課題を解決するため、本発明は、液晶表示パネルと、上記液晶表示パネルの反観察面に配置されるバックライトと、上記バックライトの光源に給電するためのライト給電用フレキシブル基板と、液晶表示パネル駆動用の信号ラインおよびバックライト点灯用の電源ラインを有する制御用フレキシブル基板とを含み、上記液晶表示パネルの端子部に上記制御用フレキシブル基板が接続されるとともに、上記電源ラインから上記ライト給電用フレキシブル基板を介して上記光源に点灯電源が供給される液晶表示装置において、上記端子部には、上記信号ラインと接続される第１接続電極と、上記電源ラインと接続される第２接続電極と、上記ライト給電用フレキシブル基板と接続される第３接続電極とが形成されているとともに、上記第２接続電極と上記第３接続電極とがジャンパ配線により接続されていて、上記制御用フレキシブル基板と上記ライト給電用フレキシブル基板とがともに上記端子部に接続され、上記電源ラインと上記ライト給電用フレキシブル基板とが上記ジャンパ配線を介して電気的に接続されることを特徴としている。
【発明の効果】
【００１０】
液晶表示パネルの端子部は、もっぱらパネル面内の透明電極から引き出される引出電極を形成するために用いられ、ＣＯＧ（Ｃｈｉｐ  ｏｎ  ｇｌａｓｓ）の場合にチップ部品が実装される以外に特別な用途がなく、この意味で端子部の上部空間はいわばデッドスペース的な存在であるが、本発明によれば、その端子部を有効に利用して制御用フレキシブル基板に含まれている電源ラインとライト給電用フレキシブル基板とを接続することができる。また、端子部に対して制御用フレキシブル基板とライト給電用フレキシブル基板とが並置されるため、それら両基板を例えば異方性導電接着手段を介して一括して同時に接続することができる。
【発明を実施するための最良の形態】
【００１１】
次に、図１ないし図３により本発明の実施形態について説明するが、本発明はこれに限定されるものではない。図１は本発明による液晶表示装置を示す分解斜視図，図２はその要部拡大平面図，図３（ａ）（ｂ）は液晶表示パネルの端子部にフレキシブル基板を接続する状態を模式的に示す平面図である。
【００１２】
まず、図１，図２を参照して、本発明の液晶表示装置には、液晶表示パネル１０と、制御用フレキシブル基板２０と、バックライト３０とが含まれている。液晶表示パネル１０は、図示しない液晶層を挟んで対向的に配置された一対の透明電極基板１１，１２を備え、この例ではその一方の透明電極基板１２側のみに端子部１２ａが連設されている。
【００１３】
ＣＯＧ型の場合には、図２に示すように、端子部１２ａ上に液晶駆動用のチップ部品（例えばＩＣ（集積回路）のベアチップ）１３が実装される。この例では、液晶表示パネル１０をＳＴＮ型としているが、液晶表示パネル１０はＴＦＴ型であってもよい。
【００１４】
制御用フレキシブル基板２０には、液晶表示パネル駆動用の信号ライン２１と、バックライト点灯用の電源ライン２２とが含まれ、基板の一端には、信号ライン２１の第１リード電極部２１ａと、電源ライン２２の第２リード電極部２２ａが形成されている。
【００１５】
バックライト３０は、液晶表示パネル１０の反観察面側基板、この例では透明電極基板１２の裏面側に被せられるバックライトケース３１を備えている。図示しないが、バックライトケース３１内には導光板とその側方に光源として配置されるＬＥＤ（発光ダイオード）とを含むバックライトユニットが収納されている。光源に冷陰極管が用いられることもある。この例において、バックライト３０はサイドライト型（エッジライト型）であるが、直下型であってもよい。
【００１６】
バックライトケース３１からは上記ＬＥＤが実装されているＬＥＤ用フレキシブル基板（ライト給電用フレキシブル基板）３２の一部が引き出されており、その端部には第３リード電極部３２ａが形成されている。
【００１７】
本発明によると、液晶表示パネル１０の端子部１２ａには、制御用フレキシブル基板２０とともにＬＥＤ用フレキシブル基板３２が接続される。そのため、端子部１２ａには、第１ないし第３接続電極部１４ａ〜１４ｃを含む接続端子１４が設けられる。
【００１８】
いずれも透明電極材料である例えばＩＴＯ（酸化インジウムスズ）材よりなり、第１接続電極部１４ａは信号ライン２１の第１リード電極部２１ａと対向するように配置され、第２接続電極部１４ｂは電源ライン２２の第２リード電極部２２ａと対向するように配置される。また、第３接続電極部１４ｃはＬＥＤ用フレキシブル基板３２の第３リード電極部３２ａと対向するように配置される。
【００１９】
このうち、第１接続電極部１４ａは例えば液晶駆動用のチップ部品１３の信号入力端子に接続されるが、第２接続電極部１４ｂと第３接続電極部１４ｃは、図２に示すように、ジャンパ配線１５により導通される。ジャンパ配線１５は例えばＩＴＯ材により第２接続電極部１４ｂおよび第３接続電極部１４ｃと同時に形成されることが好ましいが、金属線により別配線とされてもよい。
【００２０】
組立にあたっては、液晶表示パネル１０の端子部１２ａを図１に鎖線で示す受け台４１上に配置したのち、図３（ａ）に示すように、制御用フレキシブル基板２０とＬＥＤ用フレキシブル基板３２の各端部を図１に鎖線で示す例えば異方性導電フィルム（ＡＣＦ）５１を介して端子部１２ａの所定位置に配置する。その際、第１リード電極部２１ａと第１接続電極部１４ａ，第２リード電極部２２ａと第２接続電極部１４ｂ，第３リード電極部３２ａと第３接続電極部１４ｃとがそれぞれ互いに重なり合うように位置決めする。
【００２１】
そして、図３（ｂ）に示すように、各フレキシブル基板２０，３２の上方から加熱されたヒーターバー４２を押し付けて、各フレキシブル基板２０，３２を端子部１２ａに対して圧着する。なお、図３（ｂ）において、作図の便宜上ヒーターバー４２にはハッチングを施している。
【００２２】
これにより、制御用フレキシブル基板２０の信号ライン２１は第１接続電極部１４ａに接続され、電源ライン２２は第２接続電極部１４ｂに接続され、また、ＬＥＤ用フレキシブル基板３２は第３接続電極部１４ｃに接続されるが、第２接続電極部１４ｂと第３接続電極部１４ｃはジャンパ配線１５により導通しているため、制御用フレキシブル基板２０の電源ライン２２はＬＥＤ用フレキシブル基板３２と接続されることになる。
【００２３】
しかる後、各フレキシブル基板２０，３２を折り曲げてバックライトケース３１を液晶表示パネル１０の反観察面側の透明電極基板１２側に配置して、そのバックライトケース３１内に制御用フレキシブル基板２０とともに液晶表示パネル１０を収納し、例えば両面粘着テープなどにより固定して組立を完了する。
【００２４】
このように、本発明によれば、制御用フレキシブル基板２０とＬＥＤ用フレキシブル基板３２とを液晶表示パネル１０の端子部１２ａに接続することにより、制御用フレキシブル基板２０内の電源ライン２２とＬＥＤ用フレキシブル基板３２とを導通状態とすることができる。
【００２５】
したがって、制御用フレキシブル基板２０にＬＥＤ用フレキシブル基板３２を接続するための分岐配線部などを設ける必要がなく、配線の簡素化および省スペース化を図ることができる。また、端子部１２ａに対して制御用フレキシブル基板２０とＬＥＤ用フレキシブル基板３２とを同時に圧着することができるため、生産性が高められる。なお、異方性導電フィルムに代えて異方性導電樹脂を用いてもよい。
【００２６】
また、従来ではデッドスペース的存在となっていた端子部１２ａの上部空間を有効利用することができるため、より一層の小型化・薄型化を図ることができる。さらには、制御用フレキシブル基板２０の接続はそのままとして、ＬＥＤ用フレキシブル基板３２だけを端子部１２ａから外すことができるため、バックライト３０に不良が発生した場合、その修理や交換を容易に行うことが可能となる。
【図面の簡単な説明】
【００２７】
【図１】本発明による液晶表示装置の一例を示す分解斜視図。
【図２】本発明の要部を示す拡大平面図。
【図３】（ａ）（ｂ）本発明において、液晶表示パネルの端子部にフレキシブル基板を接続する状態を模式的に示す平面図。
【符号の説明】
【００２８】
１０  液晶表示パネル
１１，１２  透明電極基板
１２ａ  端子部
１４  接続端子
１４ａ  第１接続電極部
１４ｂ  第２接続電極部
１４ｃ  第３接続電極部
１５  ジャンパ配線
２０  制御用フレキシブル基板
２１  信号ライン
２１ａ  第１リード電極部
２２  電源ライン
２２ａ  第２リード電極部
３０  バックライト
３１  バックライトケース
３２  ＬＥＤ用フレキシブル基板
３２ａ  第３リード電極部
４１  受け台
４２  ヒーターバー
【図１】
2006184352.tif 000003
【図２】
2006184352.tif 000004
【図３】
2006184352.tif 000005